(57)【特許請求の範囲】
【請求項１】
ハウジングの摺動孔に進退可能に配設され、前記摺動孔において押込位置と突出位置間に保持される移動子と、先端部に設けた係合部が前記移動子の外周から出没する態様で該移動子に移動可能に支持させた係合体と、前記移動子が前記押込位置に移動した場合に前記係合体の係合部を前記移動子から退行可能に突出させて係合状態とする一方、前記移動子が前記突出位置に移動した場合に前記係合体の係合部を前記移動子の内部に退行収納させて解除状態とする作動手段とを備え、
前記係合状態において、前記係合部を係止対象物の係止具に係合させることにより前記係合部の前端が前記移動子の前端部下面から形成した凹所の前壁内面に当接した状態となり、当該係合体の係合部が前記移動子と前記係止具の間に保持されて、前記係止対象物との相対的な離隔移動を規制するようにしたことを特徴とするラッチ装置。
【請求項２】
弾性手段の弾性復元力により、前記係合状態において前記係合部を前記移動子から突出させる請求項１記載のラッチ装置。
【請求項３】
前記ハウジングおよび前記係合体の間に介在し、当該係合体を介して前記移動子を前記押込位置から前記突出位置に向けて常時押圧する押圧バネと、この押圧バネの押圧力に抗して前記移動子を前記突出位置から前記押込位置へ押圧した場合に該移動子を当該押込位置に停止させ、さらにこの押込位置から同方向に押圧した場合に前記押圧バネの押圧力によって前記移動子を前記突出位置に復帰させる位置規定手段とをさらに具備し、前記押圧バネの押圧力により、前記係合状態において前記係合部を前記移動子から突出させる請求項２記載のラッチ装置。
【請求項４】
前記係合体の係合部に、該係合部が突出した状態で互いに離隔した前記移動子と前記係止対象物とを近接移動させた場合に前記係止具に当接し、かつ該係止具に圧接させた場合に前記係合体の係合部を退行移動させる退行作用面を設けた請求項１から請求項３のいずれか１項記載のラッチ装置。
【請求項５】
前記移動子に対して前記係合体を該移動子の進退方向に沿って移動可能に配設した請求項１から４のいずれか１項記載のラッチ装置。
【発明の詳細な説明】
【０００１】
【発明の属する技術分野】
本発明は、係合状態にある場合に係合体の係合部を移動子から突出させ、該係合部を係止対象物に係合させることによって当該係止対象物との相対的な離隔移動を規制する一方、解除状態にある場合に前記係合部を前記移動子の内部に退行収納させるようにしたラッチ装置の改良に関するものである。
【０００２】
【従来の技術】
この種の従来技術としては、例えば実公平７−４００６１号公報に示されるものがある。すなわち、この従来技術では、移動子がハウジング（ケース）の奥へ押し込められると、この移動子に設けた係合体の係合部が下方に向けて突出される一方、移動子がハウジングの開口部から突出すると、係合体の係合部が移動子の内部に退行収納されるようになっている。ハウジングと移動子との間には、圧縮バネが介在されているとともに、滑合突起とカムとの組み合わせから成る移動子の位置規定手段が設けられている。圧縮バネは、ハウジングに対して移動子を常時突出する方向に押圧するものである。位置規定手段は、ハウジングに対する移動子の押込操作に応じて滑合突起およびカムを適宜係脱させ、移動子をハウジングの開口部から突出した突出位置と、ハウジングの奥に押し込められた押込位置とに交互に切り換えるように機能するものである。このハウジングは、扉によって開閉される箱本体に取り付けられる。一方、扉の内面には、ハウジングに対応する位置にストライクが取り付けられる。
【０００３】
上記のように構成された従来技術においては、移動子が突出位置にある場合に扉を閉めると、この扉によって移動子がハウジングに押し込められ、位置規定手段の作用によって押込位置で停止する。その際、移動子の下部外周から係合体の係合部が下方に向けて突出され、該係合部が扉のストライクに係合されることになり、扉をそのまま閉じた状態に保持することができる。
【０００４】
一方、上述した状態から扉をさらに閉める方向に押圧すると、位置規定手段の作用によって移動子が突出位置に復帰され、扉が開く方向に移動する。その際、係合体の係合部が移動子の内部に退行収納され、ストライクとの係合状態が解除されることになり、扉をそのまま開くことができるようになる。
【０００５】
この従来技術によれば、通常、扉を開ければ移動子が突出位置にあり、係合体の係合部が当該移動子に退行収納されることになる。従って、係合体の係合部が他の物と接触して損傷する事態を防止することができるとともに美観を損なう虞れがない。
【０００６】
【発明が解決しようとする課題】
ところで、上述した従来技術にあっては、係合体を移動体に対して回転可能に支持させるとともに、この係合体の後端をハウジングのガイド溝内に位置させてあり、ハウジングに対する移動子の移動に伴うガイド溝との位置の変化に応じて係合体の後端を上下動させ、その係合部を移動子から出没させるようにしたものである。つまり、係合体の後端とハウジングのガイド溝とが常に当接した状態にあり、移動子の移動が伴わない限り係合部の位置を変更することができない。
【０００７】
このため、ラッチ装置の係合部と扉のストライクとが係合状態にある場合に当該扉を開く方向に過大な外力が作用すると、ラッチ装置やストライクに直接その外力が作用し、係合部が破断する等の損傷を来す虞れがある。
【０００８】
こうした事態を防止するためには、係合体を容易に弾性変形する材質で構成することが考えられる。すなわち、係合体を弾性変形させることによって外力を吸収し、ラッチ装置やストライクの損傷を防止しようとするものである。しかしながら、容易に弾性変形する係合体を適用したラッチ装置では、通常状態においてもラッチ装置の係合部と扉のストライクとの間に十分な係合力を確保することが困難になり、不用意に扉が開成する事態を招来することになる。
【０００９】
本発明は、上記実情に鑑みて、通常において十分な係合力を確保する一方、過大な外力が作用した場合にはその損傷を防止することのできるラッチ装置を提供することを解決課題とする。
【００１０】
【課題を解決するための手段】
本願の請求項１に係る発明では、ハウジングの摺動孔に進退可能に配設され、前記摺動孔において押込位置と突出位置間に保持される移動子と、先端部に設けた係合部が前記移動子の外周から出没する態様で該移動子に移動可能に支持させた係合体と、前記移動子が前記押込位置に移動した場合に前記係合体の係合部を前記移動子から退行可能に突出させて係合状態とする一方、前記移動子が前記突出位置に移動した場合に前記係合体の係合部を前記移動子の内部に退行収納させて解除状態とする作動手段とを備え、前記係合状態において、前記係合部を係止対象物の係止具に係合させることにより前記係合部の前端が前記移動子の前端部下面から形成した凹所の前壁内面に当接した状態となり、当該係合体の係合部が前記移動子と前記係止具の間に保持されて、前記係止対象物との相対的な離隔移動を規制するように構成している。
【００１１】
また本願の請求項２に係る発明では、上述した請求項１に係る発明において、弾性手段の弾性復元力により、前記係合状態において前記係合部を前記移動子から突出させるようにしている。
【００１２】
本願の請求項３に係る発明では、上述した請求項２に係る発明において、前記ハウジングおよび前記係合体の間に介在し、当該係合体を介して前記移動子を前記第一位置から前記第二位置に向けて常時押圧する押圧バネと、この押圧バネの押圧力に抗して前記移動子を前記第二位置から前記第一位置へ押圧した場合に該移動子を当該第一位置に停止させ、さらにこの第一位置から同方向に押圧した場合に前記押圧バネの押圧力によって前記移動子を前記第二位置に復帰させる位置規定手段とをさらに具備し、前記押圧バネの押圧力により、前記係合状態において前記係合部を前記移動子から突出させるようにしている。
【００１３】
本願の請求項４に係る発明では、上述した請求項１から請求項３のいずれか１項に係る発明において、前記係合体の係合部に、該係合部が突出した状態で互いに離隔した前記移動子と前記係止対象物とを近接移動させた場合に前記係止具に当接し、かつ該係止具に圧接させた場合に前記係合体の係合部を退行移動させる退行作用面を設けるようにしている。
【００１４】
本願の請求項５に係る発明では、上述した請求項１から請求項４のいずれか１項に係る発明において、前記移動子に対して前記係合体を当該移動子の進退方向に沿って移動可能に配設している。
【００１８】
【発明の実施の形態】
以下、実施の形態を示す図面に基づいて本発明を詳細に説明する。
図４は、本発明に係るラッチ装置の一実施形態を概念的に示したものである。ここで例示するラッチ装置１は、例えば、図９に示すように、蝶番Ａによって開閉する扉（係止対象物）Ｂを備えたキャビネットＣに適用するもので、ハウジング１０、移動子３０および係合体５０を備えている。
【００１９】
ハウジング１０は、図３乃至図５に示すように、上端部の両側がそれぞれ側方に突出したブロック状部材であり、例えばポリアセタール（ＰＯＭ）等の合成樹脂によって成形してある。このハウジング１０には、側方に延在する部分にそれぞれ上下方向に沿ってネジ挿通孔１１を形成してあるとともに、その後端部にロケートピン１２を突設してある。
【００２０】
またこのハウジング１０には、その下端部に摺動孔１３を設けてある。摺動孔１３は、横断面を矩形状に形成したもので、その一端がハウジング１０の前面１０ａにおいて開口する一方、その他端がハウジング１０の後壁１０ｂによって閉塞してある。この摺動孔１３には、バネ支持ピン１４、レバー支持部１５、ストッパ用案内孔１６およびガイドリブ１７を設けてある。
【００２１】
バネ支持ピン１４は、ハウジング１０における後壁１０ｂの内面に設けた円柱状部分であり、摺動孔１３の軸心よりも下方となる位置から摺動孔１３の開口に向けて突設してある。このバネ支持ピン１４には、その外周部に押圧バネ１８を装着してある。押圧バネ１８は、常態においてバネ支持ピン１４よりも十分な長さを有した金属製のコイルバネである。
【００２２】
レバー支持部１５は、カムレバー１９を支持する部分であり、ハウジング１０の後壁１０ｂにおいてバネ支持ピン１４よりも上方となる位置に設けてある。カムレバー１９は、基部１９ａと一対の腕部１９ｂとを有するもので、金属線により一体に成形してある。基部１９ａは、直線状に延在する部分であり、摺動孔１３の幅よりも僅かに短い長さを有している。一対の腕部１９ｂは、基部１９ａの両端からそれぞれ同一方向に向けて直角に延在する部分である。各腕部１９ｂの先端部は、互いに内方に向けて直角に屈曲し、それぞれカム従動部１９ｃを構成している。このカムレバー１９は、一対の腕部１９ｂが摺動孔１３の開口方向に向かう状態で基部１９ａを介してレバー支持部１５に支承させてあり、各一対の腕部１９ｂがそれぞれ基部１９ａを支点として上下方向に揺動可能である。
【００２３】
ストッパ用案内孔１６は、摺動孔１３の上壁１０ｃおよび底壁１０ｄに設けた狭幅の切欠であり、互いに対向する部位において摺動孔１３の延在方向に沿って延在している。各ストッパ用案内孔１６は、上壁１０ｃおよび底壁１０ｄを貫通しており、それぞれの前端にストッパ面２０を構成している。なお、図中の符号２１は、上壁１０ｃの内面および底壁１０ｄの内面に設けた導入案内溝である。これら導入案内溝２１は、それぞれ摺動孔１３の開口側において各ストッパ用案内孔１６の延長上に位置しており、個々の奥側端部が奥方に向けて漸次内方に湾曲している。
【００２４】
ガイドリブ１７は、摺動孔１３の左右両壁１０ｅ，１０ｆにおいてそれぞれの内面から内方に向けて突出した部分である。各ガイドリブ１７は、収納規定部１７ａと傾斜部１７ｂとを有し、摺動孔１３においてバネ支持ピン１４の突出端よりも開口側となる位置に設けてある。収納規定部１７ａは、摺動孔１３の軸心よりも下方となる位置において該軸心に沿って延在し、一方、傾斜部１７ｂは、各収納規定部１７ａの奥側端部から奥方に向けて漸次上方に傾斜するように連続している。
【００２５】
なお、図中の符号２２は、上壁１０ｃの内面および底壁１０ｄの内面に設けた滑動リブである。各滑動リブ２２は、図には明示していないが、横断面が小径の半円形状を成す複数条の凸部分であり、摺動孔１３の軸心に沿って延在している。また、図中の符号２３は、摺動孔１３の左右両壁１０ｅ，１０ｆに設けたスライドガイドである。各スライドガイド２３は、ガイドリブ１７よりも突出幅が大きく、各ガイドリブ１７の収納規定部１７ａよりも下方となる位置において摺動孔１３の軸心に沿って延在している。
【００２６】
移動子３０は、図１、図３、図４および図６に示すように、概略的にはハウジング１０の摺動孔１３に嵌合できる横断面を有した四角柱状部材であり、例えばポリアミド（ＰＡ６６）等の合成樹脂によって成形してある。移動子３０の長さは、ハウジング１０の摺動孔１３に押し込んだ際にもその前端部分が外部に露出するように、該摺動孔１３よりも大きく構成してある。
【００２７】
この移動子３０には、その内部に収納凹部３１およびバネ挿入孔３２を設けてある。
【００２８】
収納凹部３１は、移動子３０の前端部下面から形成した凹所である。収納凹部３１の前壁内面は、その下端部が下方に向けて漸次前方に僅かに傾斜しており、移動子側第一作用面３１ａを構成している。
【００２９】
バネ挿入孔３２は、移動子３０の後端面からその軸心方向に沿って延在し、その前端部が上述した収納凹部３１に連通している。このバネ挿入孔３２は、ハウジング１０のバネ支持ピン１４に装着した押圧バネ１８の外径よりも大きな内径を有するもので、バネ支持ピン１４に対応する位置に設けてある。
【００３０】
また上記移動子３０には、ストッパ爪３３、逃げ溝３４、軸受孔３５およびカム機構部３６を設けてある。
【００３１】
ストッパ爪３３は、移動子３０の上面および下面からそれぞれ突出した部分である。各ストッパ爪３３は、ハウジング１０のストッパ用案内孔１６に対応する位置に設けてあり、個々の前端面３７が直角方向に延在する一方、個々の後端面が後方に向けて漸次内方へ湾曲している。
【００３２】
逃げ溝３４は、移動子３０の後端から両側面に亘る部位に設けた凹所で、ハウジング１０に設けたガイドリブ１７およびスライドガイド２３を受入れて当該移動子３０の摺動孔１３への挿入を可能とするものである。各逃げ溝３４は、それぞれの後端部３４ａがガイドリブ１７およびスライドガイド２３の双方を受入れるべく比較的広い上下幅を有する一方、それぞれの前端部３４ｂがガイドリブ１７の収納規定部１７ａのみを受入れるべく比較的狭い上下幅を有している。これら逃げ溝３４は、それぞれバネ挿入孔３２よりも大きな長さに形成してあり、個々の前端部３４ｂが上述した収納凹部３１に連通している。
【００３３】
軸受孔３５は、移動子３０の軸心方向に沿って延在する長孔であり、該移動子３０の両側面においてそれぞれ逃げ溝３４の前端部３４ｂよりも下方に形成してある。各軸受孔３５は、移動子３０の両壁を貫通し、上述した収納凹部３１に連通している。
【００３４】
カム機構部３６は、上述したカムレバー１９のカム従動部１９ｃを案内するために設けた一連の溝カムであり、移動子３０の両側面において逃げ溝３４の上方部に設けてある。各カム機構部３６は、それぞれ左右で形状の異なる台形状カム部３８ａ，３８ｂとハート状カム部３９ａ，３９ｂとを有しており、これらのカム部３８ａ，３８ｂ，３９ａ，３９ｂとカムレバー１９および上述した押圧バネ１８との協働によって、ハウジング１０に対する移動子３０の停止位置を規定するものである。
【００３５】
なお、図中の符号４０は、軸受孔３５の下方部に設けた導入テーパ面である。各導入テーパ面４０は、移動子３０の下面両側から収納凹部３１に向けて形成した傾斜面であり、上方に向けて漸次内方に傾斜している。
【００３６】
係合体５０は、図３、図４および図７に示すように、主部５１と一対のアーム部５２とを有したもので、例えばポリアセタール（ＰＯＭ）等の合成樹脂によって一体成形してある。
【００３７】
係合体５０の主部５１は、上述した移動子３０の収納凹部３１に収納できる大きさに構成したもので、バネ受座５３および係合部５４を有する。バネ受座５３は、ハウジング１０のバネ支持ピン１４に装着した押圧バネ１８の先端部が当接するための台状部分であり、主部５１の後端面から後方に向けて突設してある。このバネ受座５３には、さらにバネ受ピン５５を設けてある。バネ受ピン５５は、バネ受座５３から円錐台状に突出する部分であり、その軸心が後述する軸部５６の軸心よりも上方に位置している。
【００３８】
係合部５４は、主部５１の前端部から下方に向けて略直角方向に突出した部分である。係合部５４の前端上方部は、主部５１の下面を基準とした場合に下方に向けて漸次前方に僅かに傾斜しており、係合体側第一作用面５４ａを構成している。この係合体側第一作用面５４ａの傾斜角度θ1 は、上述した移動子側第一作用面３１ａの傾斜角度θ2 とほぼ同一である。
【００３９】
また係合部５４の前端下方部は、下方に向けて漸次後方に湾曲し、退行作用面５４ｂを構成している。さらに係合部５４の後端下方部は、下方に向けて漸次前方に傾斜しており、係合体側第二作用面５４ｃを構成している。この係合体側第二作用面５４ｃの傾斜角度θ3 は、上述した係合体側第一作用面５４ａの傾斜角度θ1 よりも大きくなるように形成してある。
【００４０】
図４および図７からも明らかなように、この係合体５０の主部５１および係合部５４は、容易に弾性変形することのないように、十分な厚さおよび幅をもって構成してある。
【００４１】
一方、係合体５０のアーム部５２は、それぞれ主部５１の後端から後方に向けて相互に平行に延在した部分である。各アーム部５２には、個々の後端部外表面にガイドピン５７を設けてあるとともに、個々の基端部外表面に軸部５６を設けてある。ガイドピン５７は、円柱状に突出した部分であり、互いの先端面相互間距離がハウジング１０に設けたガイドリブ１７の相互間隔よりも大きくなるように形成してある。軸部５６は、移動子３０に設けた軸受孔３５の上下幅と同一となる外径を有した円柱状部分である。各軸部５６は、互いの先端面相互間距離が移動子３０に設けた収納凹部３１の幅よりも大きく、かつ該移動子３０の幅よりも僅かに小さくなるように構成してある。これら軸部５６の突出端部には、それぞれの上部に傾斜面５８を設けてある。
【００４２】
なお、図中の符号５９は、主部５１の下面に設けた支持台状部である。この支持台状部５９は、下方に向けて台状に突出した部分であり、その突出端面が主部５１の下面と平行に延在している。
【００４３】
上記のように構成したハウジング１０、移動子３０および係合体５０の三者は、それぞれ以下の手順に従って相互に組み立てることにより、本実施形態のラッチ装置１を構成する。
【００４４】
まず、図１および図３に明示するように、一対のアーム部５２をそれぞれ収納凹部３１から逃げ溝３４との連通部を通じて外部に突出させ、かつ主部５１を収納凹部３１に収納させた状態で、それぞれの軸部５６を軸受孔３５に挿入することにより、係合体５０を移動子３０に装着する。これにより、一対のアーム部５２の先端部がそれぞれ移動子３０の逃げ溝３４に位置し、各ガイドピン５７がそれぞれ外方に向けて突出されることになるとともに、バネ受座５３が移動子３０のバネ挿入孔３２に対向し、バネ受ピン５５が該バネ挿入孔３２の前端部に挿入されることになる。上述した操作の場合、軸部５６の傾斜面５８がそれぞれ移動子３０の導入テーパ面４０に合致することになり、相互に当接する傾斜面の作用によって当該軸部５６の軸受孔３５への挿入作業を容易に行うことができる。
【００４５】
この状態においては、移動子３０に対して係合体５０を軸部５６の軸心回りに回転することが可能であり、例えば図１に示すように、反時計回りに回転させれば、係合部５４を移動子３０の下部外周から下方に向けて突出することができる一方、図２に示すように、時計回りに回転させれば、係合部５４を含めて係合体５０の主部５１を移動子３０の収納凹部３１に収納させることができる。この場合、係合体５０の回転に伴って一対のアーム部５２が揺動することになり、その回転範囲が上述したガイドピン５７と逃げ溝３４とによって規制されるようになる。
【００４６】
また、移動子３０に装着した係合体５０は、軸受孔３５の内部において軸部５６の位置を適宜変更することが可能であり、移動子３０の軸心方向に沿って移動することにより、移動子側第一作用面３１ａに対して係合体側第一作用面５４ａを離接移動させることができる。この場合、図１および図２からも明らかなように、係合体側第一作用面５４ａを移動子側第一作用面３１ａに当接させた状態においても、係合体５０の軸部５６が軸受孔３５の端部に当接することはない。
【００４７】
次いで、係合体５０を装着した移動子３０をその後端側からハウジング１０の摺動孔１３に挿入し、一対のストッパ爪３３をそれぞれ対応するストッパ用案内孔１６に配置させる。この場合、移動子３０に対して係合体５０を時計回りに回転させた状態に保持し、各アーム部５２に設けたガイドピン５７をそれぞれガイドリブ１７の下方を通過させる。また、移動子３０のバネ挿入孔３２を通じて押圧バネ１８の先端部に係合体５０のバネ受ピン５５を挿入し、該押圧バネ１８の先端面をバネ受座５３に当接させる。さらに、カムレバー１９の各カム従動部１９ｃをそれぞれ移動子３０のカム機構部３６に位置させる。上述した操作の場合、ストッパ爪３３が導入案内溝２１に合致することになり、相互に当接する湾曲面の作用によってその作業を容易に行うことができる。
【００４８】
この状態においては、押圧バネ１８の押圧力により、係合体５０を介して移動子３０がハウジング１０から常時突出する方向に押圧され、図２（ｂ）に示すように、ストッパ爪３３の前端面３７がストッパ用案内孔１６のストッパ面２０に当接することになり、当該移動子３０のハウジング１０からの突出位置（第二位置）が規定されるようになる。
【００４９】
このとき、図２（ａ）に示すように、一対のアーム部５２に設けたガイドピン５７がそれぞれガイドリブ１７の収納規定部１７ａに当接することになり、係合体５０が図中の時計方向に回転して係合部５４が移動子３０の収納凹部３１に収納された状態に保持される。
【００５０】
一方、上述した状態から押圧バネ１８の押圧力に抗して移動子３０をハウジング１０の摺動孔１３に押し込むと、カムレバー１９が適宜揺動しながら個々のカム従動部１９ｃがカム機構部３６に沿って移動し、台形状カム部３８ａ，３８ｂの上方に位置するようになる。
【００５１】
この間、移動子３０の押込移動に伴って係合体５０におけるアーム部５２のガイドピン５７がガイドリブ１７の収納規定部１７ａを通過して傾斜部１７ｂに至るようになり、当該係合体５０の時計回りへの回転が許容されることになる。ここで、上述した押圧バネ１８は、係合体５０の回転中心である軸部５６よりも上方において当該係合体５０を押圧するものである。この結果、この押圧バネ１８の押圧力によって係合体５０が反時計回りに回転するようになり、図１（ｂ）に示すように、係合体５０の係合部５４が移動子３０の下部外周から下方に向けて突出することになる。またこのとき、押圧バネ１８の押圧力により、移動子３０に対して係合体５０が前進した状態にあり、その係合体側第一作用面５４ａが移動子３０に設けた移動子側第一作用面３１ａに圧接されている。
【００５２】
上述した状態から移動子３０に付与していた押込力を除去すると、押圧バネ１８の押圧力によって移動子３０が再びハウジング１０から突出する方向に移動するようになる。しかしながら、ハウジング１０に対する移動子３０の移動に伴い、台形状カム部３８ａ，３８ｂの上方に位置していたカムレバー１９のカム従動部１９ｃがそれぞれハート状カム部３９ａ，３９ｂの窪みに移動する。上述したように、カム機構部３６は、上述したカムレバー１９のカム従動部１９ｃを案内するために設けた一連の溝カムであり、移動子３０の両側面において逃げ溝３４の上方部に設けてある。そして、各カム機構部３６は、それぞれ左右で形状の異なる台形状カム部３８ａ，３８ｂとハート状カム部３９ａ，３９ｂとを有しており、図１（ａ）に示すように、カムレバー１９のカム従動部１９ｃがそれぞれハート状カム部３９ａ，３９ｂの窪みに移動した状態においては、アーム部５２のガイドピン５７がガイドリブ１７の傾斜部１７ｂに位置し、収納規定部１７ａに到達する以前の状態において移動子３０の移動を阻止する。この結果、移動子３０がハウジング１０の摺動孔１３において押込位置（第一位置）に保持され、かつ係合体５０の係合部５４が移動子３０の下部外周から突出した状態に保持される。
【００５３】
さらに、上述した状態から再び移動子３０をハウジング１０の摺動孔１３に押し込むと、台形状カム部３８ａ，３８ｂの傾斜面によってカムレバー１９のカム従動部１９ｃが押され、ハート状カム部３９ａ，３９ｂの窪みから逸脱してその下方に位置する。この結果、移動子３０に付与していた押圧力を除去すると、今度は、押圧バネ１８の押圧力によって移動子３０がハウジング１０から突出する方向に移動し、上述したハウジング１０からの突出位置（第二位置）に復帰することになる。
【００５４】
この間、移動子３０の突出方向への移動に伴って係合体５０におけるアーム部５２のガイドピン５７がガイドリブ１７に当接し、傾斜部１７ｂを経て収納規定部１７ａに達するようになるため、図２に示すように、再び係合体５０の係合部５４が移動子３０の収納凹部３１に収納された状態となる。
【００５５】
以下、上述した押圧動作を繰り返すことにより、移動子３０がハウジング１０に対して突出位置と押込位置とに交互に切り換えられるようになる。
【００５６】
上記のようにして構成したラッチ装置１をキャビネットＣに適用する場合には、まず、図９に示すように、当該ラッチ装置１をキャビネットＣの本体、例えば本体上壁Ｄの下面に取り付ける。この場合、図１（ａ）に示すように、ハウジング１０の前面１０ａを本体上壁Ｄの前面に合致させるようにラッチ装置１を取り付けることが好ましい。上述した作業は、本体上壁Ｄの下面に予め位置決め孔Ｅを設けておき、この位置決め孔Ｅにハウジング１０のロケートピン１２を嵌合させた後、ネジ挿通孔１１を通じて本体上壁Ｄにネジ（図示せず）を締結させれば容易に行うことが可能である。
【００５７】
一方、キャビネットＣの扉Ｂには、その内面においてラッチ装置１に対向する部位に係止具６０を装着する。係止具６０として本実施形態では、図８に示すものを適用している。
【００５８】
すなわち、この係止具６０は、中央部に係止挿入孔６１を有するとともに、その両側にそれぞれネジ挿通孔６２を有したプレート状部材であり、ポリアミド（ＰＡ６６）等の合成樹脂によって成形してある。係止挿入孔６１は、上述した移動子３０の先端部を嵌合できる大きさの矩形状を成すもので、その奥方が後壁６１ａによって閉塞してある。この係止挿入孔６１の奥行きは、移動子３０を挿入してその前端面３７を後壁６１ａに当接させた場合に、該移動子３０に装着した係合体５０の係合部５４が当該係止挿入孔６１の内部に位置するだけの長さである。
【００５９】
また、係止具６０には、その係止挿入孔６１の下壁に係止凹部６３を設けてある。係止凹部６３は、係止挿入孔６１の手前側縁部に係止段部６４を構成するために設けたもので、該係止挿入孔６１の奥方において係合体５０の係合部５４を挿入し得る大きさを有して形成してある。係止段部６４は、係止凹部６３に臨む部位が下方に向けて漸次奥方に傾斜し、係止具側第二作用面６４ａを構成している。この係止具側第二作用面６４ａの傾斜角度θ4 は、係合部５４に設けた係合体側第二作用面５４ｃの傾斜角度θ3 とほぼ同一である。
【００６０】
なお、係止挿入孔６１の開口周縁部には、その全周に亘ってＲ部６５を設けてある。
【００６１】
この係止具６０は、扉Ｂの内面に凹部Ｆを形成した後、この凹部Ｆに係止挿入孔６１の後壁部分を配置した状態でネジ挿通孔６２を通じてネジ（図示せず）を締結させることによって当該扉Ｂの内面に取り付けられる。
【００６２】
いま、上述したキャビネットＣにおいて、扉Ｂが開いているとともに、ラッチ装置１の移動子３０が突出した状態、つまり移動子３０が上述した突出位置にあるものとする。
【００６３】
この状態においては、上述したように、係合体５０の係合部５４が移動子３０の収納凹部３１に収納された状態にある。従って、係合体５０の係合部５４が他の物と接触して損傷する事態を防止することができるとともにキャビネットＣの美観を損なう虞れがない。
【００６４】
この状態から扉Ｂを閉めると、やがて係止具６０の後壁６１ａを介して移動子３０の前端面３７が押圧されるようになる。この状態からさらに扉Ｂを閉めてキャビネットＣを閉塞すると、移動子３０が上述した押込位置に保持されるようになり、該移動子３０の下部外周から突出した係合体５０の係合部５４が係止具６０の係止凹部６３に位置することになる。
【００６５】
この状態においては、図１（ａ）に示すように、係合体５０における係合部５４の後端面と係止具６０における係止段部６４の係止具側第二作用面６４ａとが互いに対向した状態にあり、キャビネットＣに対する扉Ｂの開放移動が規制されるため、当該扉Ｂを閉じた状態に保持することができるようになる。
【００６６】
一方、上述した状態から扉Ｂをさらに閉じる方向に押圧し、その後この押圧力を除去すれば、移動子３０が突出位置に復帰するとともに、係合体５０の係合部５４が移動子３０の収納凹部３１に収納されることになり、キャビネットＣの扉Ｂを開くことができる。
【００６７】
ところで、上述したラッチ装置１においては、移動子３０を直接手で押し込むなどすれば、扉Ｂが開いた状態において移動子３０から係合体５０の係合部５４が突出することになり、キャビネットＣに対して出し入れする物が当該係合部５４に接触する虞れがある。
【００６８】
しかしながら、上記ラッチ装置１によれば、移動子３０が押込位置にある場合、該移動子３０の下部外周から突出する係合体５０の係合部５４は、押圧バネ１８の押圧力によって押圧されているだけである。つまり、押込位置において係合体５０の係合部５４に外力を与えた場合には、押圧バネ１８の押圧力に抗して当該係合部５４が移動子３０の収納凹部３１に向けて退行移動可能である。従って、係合部５４に物が接触した場合にも、その衝撃力を大きく緩和することができるようになり、ラッチ装置１の損傷を来す虞れがない。この場合、係合体５０は、軸受孔３５の内部において軸部５６の位置を適宜変更することにより、移動子３０に対してその進退方向に沿っても移動可能である。従って、係合体５０の軸部５６という小断面積部分に外力が集中してこれが損傷する虞れもない。
【００６９】
しかも、上記ラッチ装置１によれば、係合部５４の前端下方部、つまり移動子３０から突出した状態において係止具６０に当接する部分に退行作用面５４ｂを構成してある。従って、上述した状態から扉Ｂを閉めた場合には、この退行作用面５４ｂに係止具６０が当接することで、一旦係合部５４が押圧バネ１８の押圧力に抗して移動子３０の収納凹部３１に収納され、その後、係止具６０の係止段部６４が通過した時点で再び係合部５４が突出するようになる。すなわち、ラッチ装置１の移動子３０を一旦突出位置に戻すことなく、そのまま扉Ｂを閉めれば、これを閉めた状態に保持することが可能となり、操作性の点でも優れたものになる。なお、この場合においてもラッチ装置１に損傷を来す虞れがないのはいうまでもない。
【００７０】
さらに、上記ラッチ装置１においては、扉Ｂを閉めた状態から、該扉Ｂにこれを開こうとする外力が作用すると、係止具６０の係止段部６４が、係合体５０の係合部５４に圧接され、当該係合体５０の係合部５４が係止具６０と移動子３０との間に挟持された状態となる。
【００７１】
この状態においては、係合体５０の係合部５４に撓む等の変形を来す虞れがない。また、係合体５０の前端上方部は、主部５１の下面を基準とした場合に下方に向けて漸次前方に僅かに傾斜しており、係合体側第一作用面５４ａを構成している。この係合部５４に設けた係合体側第一作用面５４ａと、これとほぼ同一の傾斜角度である移動子３０に設けた移動子側第一作用面３１ａとが相互に圧接され、これら第一作用面５４ａ，３１ａによる相互の負荷を解消する方向に傾斜面を摺動しようとする作用によって係合部５４にこれを移動子３０から突出させる方向の力が作用するようになる。さらに、移動子３０の前端部が係止具６０の係止挿入孔６１に嵌合しているため、ラッチ装置１に対して係止具６０が下方に逃げることもない。従って、ラッチ装置１と係止具６０との間に高い係合力を得ることができ、扉Ｂが不用意に開く事態を防止できる。
【００７２】
一方、上述した状態からさらに扉Ｂに対して過大な外力が作用した場合には、係止具６０の係止段部６４において係止凹部６３に臨む部位が下方に向けて漸次奥方に傾斜するように設けた係止具側第二作用面６４ａと係合体５０の係合部５４に傾斜角度が係合体側第二作用面５４ｃの傾斜角度とほぼ同一となるように設けた係合体側第二作用面５４ｃとが相互に圧接され、相互の負荷を解消する方向に傾斜面を摺動しようとする作用により、上述した第一作用面５４ａ，３１ａによる傾斜面を摺動しようとする作用により、当該係合部５４が軸部５６の軸心回りに回転して、移動子３０の収納凹部３１へ退行移動され、ラッチ装置１と係止具６０との係合状態が解除されるようになるため、ラッチ装置１に損傷を来す虞れがない。
【００７３】
なお、上述した実施の形態では、扉を有したキャビネットに適用するラッチ装置を例示しているが、係止対象物との相対的な離隔移動を規制する用途であれば、必ずしもキャビネットに限定されない。この場合、係止対象物の移動態様も、蝶番によるものである必要はない。また、上述した実施の形態で記載したラッチ装置および係止具の具体的な材質名は、あくまでも例示であり、その他の材質によってこれらを成形してももちろんよい。さらに、ラッチ装置の取付態様も上述した実施の形態に限定されず、係合体の係合部が下部以外の外周から突出するようにしても構わない。
【００７４】
また、上述した実施の形態では、バネの押圧力を利用して係合体の係合部を移動子から退行可能に突出させるようにしているが、必ずしもバネの押圧力を利用する必要はない。例えば、上述した実施の形態の場合には、係合体の重心位置と軸部の位置とを適宜調整すれば、重力の作用によって係合体を移動子に対して退行可能に突出させることも可能である。また、バネ以外の弾性手段の弾性復元力を利用してももちろん構わない。なお、バネの押圧力を利用する場合に上述した実施の形態では、ハウジングに対して移動子を常時押圧するための押圧バネにこれを兼用させるようにしているため、部品点数の点で有利となるが、例えば別途移動子と係合体との間にバネを介在させるようにしてもよい。
【００７５】
さらに、上述した実施の形態では、長孔状の軸受孔とこれに挿入した軸部とによって係合体を移動子に対してその進退方向に移動させるようにしているが、突起と溝等、その他の方法によって係合体を移動子に対して移動させるようにしてももちろんよい。なお、長孔状の軸受孔と軸部とを適用する場合に上述した実施の形態では、前者を移動子に設けるとともに後者を係合体に設けているが、逆の態様でも構わない。
【００７６】
またさらに、上述した実施の形態では、移動子と係合体の係合部との双方にそれぞれ第一作用面を設けるようにしているが、いずれか一方に設ければよい。また、係止具にも第二作用面を設けるようにしているが、係合体の係合部にのみ第二作用面を設けても同様の作用効果を期待することが可能である。
【００７７】
【発明の効果】
以上説明したように、本発明によれば、係合状態にある場合に係合部を移動子に対して退行可能に突出させるようにしているため、係合体を容易に弾性変形する材質で構成する必要がない。この結果、通常において十分な係合力を確保することができる一方、過大な外力が作用した場合には係合部が退行移動してその損傷を防止することが可能となる。
【図面の簡単な説明】
【図１】  本発明に係るラッチ装置の一実施形態を示すもので、（ａ）は、カム従動部がハート状カム部の窪みに移動し、係合体の係合部が移動子の下部外周から下方に向けて突出した係合状態にある場合の断面一部破断図、（ｂ）は係合状態にある場合の断面側面図である。
【図２】  （ａ）は解除状態にある場合の断面一部破断図、（ｂ）は解除状態にある場合の断面側面図である。
【図３】  図１に示したラッチ装置の移動子をハウジングから取り出した状態を示す底面半断面図である。
【図４】  図１に示したラッチ装置の分解斜視図である。
【図５】  （ａ）はハウジングの正面図、（ｂ）はその断面側面図である。
【図６】  （ａ）は移動子の側面図、（ｂ）はその平面図、（ｃ）はその正面半断面図、（ｄ）は（ａ）における矢視ＶＩ図である。
【図７】  （ａ）は係合体の側面図、（ｂ）は（ａ）における矢視  ＶＩＩ  図である。
【図８】  （ａ）は係止対象物に設ける係止具の一実施例を示す正面図、（ｂ）はその断面側面図である。
【図９】  ラッチ装置の適用例を示す斜視図である。
【符号の説明】
１  ラッチ装置
１０  ハウジング
１０ａ  前面
１０ｂ  後壁
１０ｃ  上壁
１０ｄ  底壁
１０ｅ，１０ｆ  左右壁
１１  ネジ挿通孔
１２  ロケートピン
１３  摺動孔
１４  バネ支持ピン
１５  レバー支持部
１６  ストッパ用案内孔
１７  ガイドリブ
１７ａ  収納規定部
１７ｂ  傾斜部
１８  押圧バネ
１９  カムレバー
１９ａ  基部
１９ｂ  腕部
１９ｃ  カム従動部
２０  ストッパ面
２１  導入案内溝
２２  滑動リブ
２３  スライドガイド
３０  移動子
３１  収納凹部
３１ａ  移動子側第一作用面
３２  バネ挿入孔
３３  ストッパ爪
３４  逃げ溝
３４ａ  後端部
３４ｂ  前端部
３５  軸受孔
３６  カム機構部
３７  前端面
３８ａ，３８ｂ  台形状カム部
３９ａ，３９ｂ  ハート状カム部
４０  導入テーパ面
５０  係合体
５１  主部
５２  アーム部
５３  バネ受座
５４  係合部
５４ａ  係合体側第一作用面
５４ｂ  退行作用面
５４ｃ  係合体側第二作用面
５５  バネ受ピン
５６  軸部
５７  ガイドピン
５８  傾斜面
５９  支持台状部
６０  係止具
６１  係止挿入孔
６１ａ  後壁
６２  ネジ挿通孔
６３  係止凹部
６４  係止段部
６４ａ  係止具側第二作用面
６５  Ｒ部
Ａ  蝶番
Ｂ  扉
Ｃ  キャビネット
Ｄ  本体上壁
Ｅ  位置決め孔
Ｆ  凹部
【図１】
0004473403.tif 000002
【図２】
0004473403.tif 000003
【図３】
0004473403.tif 000004
【図４】
0004473403.tif 000005
【図５】
0004473403.tif 000006
【図６】
0004473403.tif 000007
【図７】
0004473403.tif 000008
【図８】
0004473403.tif 000009
【図９】
0004473403.tif 000010